(57)【要約】【課題】  表示形態を変化させることができるアナログ表示装置を提供する。【解決手段】  アナログ表示装置は、回転軸に取付けられた針４の形の、表示すべき値のインジケータ、およびインジケータの制御装置（図５の７，８，９，１０）を含む。この制御装置はインジケータの自由端が、回転軸まわりの回転にしたがって予め選ばれた径路に従うように構成されている。【選択図】      図５
2005017295.tif 000002
【特許請求の範囲】
【請求項１】
回転軸に取付けられていて表示すべき値のインジケータを有する、予め選択された径路のアナログ表示装置であって、インジケータの自由端が前記回転軸まわりの回転に伴って前記予め選択された径路に従うように構成された、前記インジケータのための制御装置（図３の７，８；図１２の２４，２９）を有することを特徴とするアナログ表示装置。
【請求項２】
前記インジケータの制御装置は、前記回転軸に取り付けられたガイドアーム（図４の９及び図１２の２５）に設けられた二つのピン（図３の１１，１２および図１２の２６，２７）に対して摺動する長手方向の溝（図３の８）を含むことを特徴とする請求項１記載のアナログ表示装置。
【請求項３】
前記インジケータの制御装置は、前記ガイドアーム（９）に連結されたアーム（図４の１０）に設けられたピン（図４および図５の１３）によってガイドされる横方向の溝（図３の７）を含むことを特徴とする請求項２記載のアナログ表示装置。
【請求項４】
前記インジケータの制御装置は、前記長手方向の溝から延びていて前記インジケータに形成された凹部内に設けられた歯（図１２および１３の２４）と噛み合う部分歯（２９）を有するピニオン（図１２の２８）を含むことを特徴とする請求項２記載のアナログ表示装置。
【請求項５】
前記歯（図１２の２４）は前記凹部の両側に設置された二つの対面する部分を含み、前記ピニオン（２８）は前記歯（２４）の前記二つの対面する部分と順次に噛み合い、それによって前記インジケータの前後移動が生じることを特徴とする請求項４記載のアナログ表示装置。
【請求項６】
前記表示すべき値の前記インジケータは針（図１１乃至１４）であることを特徴とする請求項１記載の装置。
【請求項７】
前記アナログ表示装置は時計に設けられることを特徴とする請求項１乃至６のいずれか一つに記載のアナログ表示装置の利用。
【請求項８】
前記アナログ表示装置が、温度表示、電圧または電流表示、寸法表示、容量表示などのあらゆる技術分野におけるあらゆる特定の値を表示することを特徴とする請求項１乃至６のいずれか一つに記載のアナログ表示装置の利用。
【発明の詳細な説明】
【技術分野】
【０００１】
この発明は、あらかじめ選ばれた径路でのアナログ表示装置に関する。
【背景技術】
【０００２】
このアナログ表示装置は通常既存のキャリバ(calibre)と協働する付加的なモジュールの形態のものである。
【発明の開示】
【発明が解決しようとする課題】
【０００３】
本発明の課題は表示形態を変化させることができるアナログ表示装置を提供することにある。
【課題を解決するための手段】
【０００４】
本発明によるアナログ表示装置は、回転軸に取付けられていて表示すべき値のインジケータを有する、予め選択された径路のアナログ表示装置であって、インジケータの自由端が前記回転軸まわりの回転に伴って予め選択された径路に従うように構成された制御装置を有することを特徴とする。
【０００５】
第１の実施形態によれば、インジケータの制御装置は、回転軸に取り付けられたガイドアームに設けられた二つのピンに対して摺動する長手方向の溝を含む。
【０００６】
インジケータの制御装置は、ガイドアームに運動幾何学的に連結されたアームに設けられたピンによってガイドされる横方向の溝を含む。
【０００７】
第２の実施形態によれば、インジケータの制御装置は、長手方向の溝から延びていてインジケータに形成された凹部内に設けられた歯と噛み合う部分歯を有するピニオンを含む。
【０００８】
前記歯は凹部の両側に設置された二つの対面する部分を含み、ピニオンは歯の二つの対面する部分と順次に噛み合い、それによってインジケータの前後移動が生じる。
【０００９】
好適な実施形態によれば、表示すべき値のインジケータは針である。
【００１０】
予め選択された径路のアナログ表示装置は、一般に時計に設けられる。
【００１１】
変形として、このアナログ表示装置を用いて、温度表示、電圧または電流表示、寸法表示、容量表示などの、あらゆる技術分野のあらゆる特定値を表示することができる。
【００１２】
例として、本発明によるアナログ表示装置のいくつかの実施形態を図に示す。
【発明を実施するための最良の形態】
【００１３】
図１に、分針２が円を描くように進行する従来式の時計１を示す。針２の自由端は、文字盤上に示した分の径路に従って、円３上を進行する。
【００１４】
図２に示した実施形態では、針（インジケータ）４の自由端すなわち先端は、文字盤６に印刷された選ばれた径路を表す長円５に沿って移動する。当業者に自明なように、針４は例として分針として示したが、針４は時針、秒針、または日、月、年などのあらゆる他の情報の指針とすることができる。
【００１５】
図３に平面図で示した針４は二つの溝７および８を有する。溝７は、針４の先端が従うものと想定される径路に応じて選ばれた形状を有する。また、溝８は針の軸に沿った長手方向の溝である。
【００１６】
針４は時計（図示せず）に搭載された付加的な装置またはモジュールによって動かされる。この付加的な装置またはモジュールについては図６を参照して後に説明するが、時計の動作中心において一方が他方の上面に組みつけられた、二つのアーム９および１０（図４）を含むものである。
【００１７】
アーム９は１時間に１回転し、時計の時針に取り付けられる。アーム１０も時針によって動かされ、１時間に２回転するようになっている。ピン１１、１２および１３がアーム９および１０に打ち込まれ、かつ針４がアーム９および１０上に設置されて、溝８がピン１１および１２によって位置決めされた状態で溝７がピン１３に一致するようになっている。このように溝８を用いて針４をガイドすることで、針４が１時間に１回転する。また、アーム１０に打ち込まれたピン１３により針４が卵形の径路に沿ってガイドされる。
【００１８】
すなわち、図５に示すように、文字盤上の針４の径路は、アーム９に対するアーム１０の回転速度および溝７の形状によって規定される。この溝７により径路の湾曲が溝７の形状に応じて調整される。溝の形状は直線でも曲線でもよい。
【００１９】
好適な例として、針４の動きが正午および６時に大きくなり、３時および９時に小さくなるようにするには、アーム１０はアーム９の２倍の速さで回転する必要があることは明らかである。
【００２０】
図６に図３乃至５の針４の制御機構の断面を示す。
【００２１】
この場合は分針である針４は、図６の機構における積層構造の真上に位置する。ホイール１４はベースキャリバ(base calibre)１５のキャノンピニオン(cannon pinion)に取り付けられており、そのため１時間に１回転する。ピニオン１６およびホイール１７によってギアが形成され、このギアによってホイール１８ａの速度増加が可能になる。例えば、卵形の場合、該ホイールは１時間に２回転させられる。アーム９は針４を動かすものであり、ホイール１８ａに圧嵌されている。さらに、１時間に２回転するアーム１０を動かすために、単一のギア１８がホイール１４および１９の間に取り付けられている。このようにして、アーム１０は１時間に２回転する。
【００２２】
時針は時間ホイール１９に圧嵌されている。上述の機構は、ベースキャリバすなわち時計に設置されたプレート２０に搭載されている。
【００２３】
針４は、例えば図７に示した形状などの種々の形をとり得る。通例、針４の形状は、必要な針制御器、特に二つの溝７および８（図５）の存在によって生じる制約により規定される。また、針４の自由端が従う径路も芸術的または実用的な判断基準にしたがって時計の形状に適合するように選択される。図８に示した針４の自由端の径路は一つの例である。この場合、アーム１０(図５)はアーム９の３倍の速さで回転する。図９または１０の例では、アーム１０はアーム９が１回転する間に４回転する。
【００２４】
図１０の例は四角い時計の製造に適用されるもので、図９の例と同様であり、装置全体を時計に対して図９の例から４５度回転させただけのものである。
【００２５】
図１１乃至１４に示した第２の実施形態のアナログ表示装置は、あらかじめ選ばれた径路２２が印刷された文字盤２１を含む。図１１では、径路２２は卵形をしている。ただし、該径路は例えば四角形などの任意の他の形状であってもよい。また、針（インジケータ）２３は時針、分針、秒針、または任意の他の指針のいずれであってもよい。
【００２６】
図１１乃至１３の装置は基本的に三つの部品から構成される。すなわち、
ラック歯２４を含む針２３、
針２３および針２３に備わる二つのピン２６および２７をガイドするアーム２５、
および部分的に歯の付いたピニオン２８から構成される。
【００２７】
針２３をガイドするように設計された二つのピン２６および２７はアーム２５に圧入されている。針２３の内側に歯２４が設けられている。キャリバの中心に設置されたピニオン２８は部分歯２９を含む。このピニオン２８は針２３上の歯２４と噛み合いつつ右回りに回転する。前述の機構を備えた、図１４に示すような卵形の形状を得るために、針２３の径路は使用されるラックすなわち歯２４によって規定される。上述の装置もまたベースキャリバに対して３６０度の方位をとり得る。
【００２８】
図１１乃至１３の装置は次のように動作する。
ピニオン２８が歯２４の右側部分との係合による進行の終点に達すると（図１３）、該ピニオン２８は歯２４の左側部分と噛み合い、同様の動作が繰り返される。この結果、針２３はその最大位置と最小位置との間を前後に動く。図１３は針２３の最小位置を示している。好適な例では、このときの針２３は３時または９時の位置にある。
【００２９】
針２３の径路はアーム２５に対するピニオン２８の回転速度によって規定される。ピニオン２８がアーム２５の２倍の速さで動くと、卵形（図１１）が得られ、４倍の速さで動くと、径路は仮想的に方形になる（図１４）。注目すべきは、これらの径路は部品の形状の変化によって変えることはできないことである。移動体２５および２８の速度のみがこのような作用を生じ得る。ピニオン２８が針２３のラックの歯２４と噛み合うことを考えると、ピニオン２８の形状を変えることは不可能である。歯の数を変えた場合は、単に良好な噛み合いが得られるだけであり、針２３の径路に変化は生じない。
【図面の簡単な説明】
【００３０】
【図１】円形径路を辿る従来の時計のアナログ表示装置の概略図である。
【図２】卵形径路を辿る本発明のアナログ表示装置の第１の実施形態の概略図である。
【図３】図２に示した表示器の実現に使用される針の平面図である。
【図４】図３の針を動かすように設計された機構の図である。
【図５】図３の針が動かされているときの図４の機構の動作を示す図である。
【図６】図２乃至５の機構の針の駆動軸の断面図である。
【図７】本発明のアナログ表示装置の針または径路の変形を示す図である。
【図８】本発明のアナログ表示装置の針または径路の変形を示す図である。
【図９】本発明のアナログ表示装置の針または径路の変形を示す図である。
【図１０】本発明のアナログ表示装置の針または径路の変形を示す図である。
【図１１】卵形の径路を辿る本発明のアナログ表示装置の第２の実施形態を示す図である。
【図１２】図１１の表示針の拡大図である。
【図１３】図１２と同様な図であって、針の係合の終了および開始を示す図である。
【図１４】図１１の実施形態がダイヤモンド型の径路を辿る図である。
【符号の説明】
【００３１】
４，２３    針
６，２１    文字盤
７，８    溝
９，１０，２５  アーム
１１，１２，１３，２６，２７    ピン
１４，１７，１８ａ，１９    ホイール
１５    ベースキャリバ
１６，２８    ピニオン
２２    径路
２４    歯
２８    ピニオン
２９    部分歯
【図１】
2005017295.tif 000003
【図２】
2005017295.tif 000004
【図３】
2005017295.tif 000005
【図４】
2005017295.tif 000006
【図５】
2005017295.tif 000007
【図６】
2005017295.tif 000008
【図７】
2005017295.tif 000009
【図８】
2005017295.tif 000010
【図９】
2005017295.tif 000011
【図１０】
2005017295.tif 000012
【図１１】
2005017295.tif 000013
【図１２】
2005017295.tif 000014
【図１３】
2005017295.tif 000015
【図１４】
2005017295.tif 000016